(57)【要約】【課題】収容部の密封性を良好に維持しながら自立させることができ、容易に製造可能となる包装体を提供する。【解決手段】被収容物を収容する包装体である。開口部を有する収容部５と、収容部５と一体的に設けられたフランジ部６とを含む包装材４と、収容部５の開口部を閉蓋する閉蓋材３とを備える包装体本体１と、包装体本体１の端部から、収容部５側へ折曲線１９を介して折り曲げ可能に延在する延在部２とを備えた。【選択図】図１
2016124547.tif 000002
【特許請求の範囲】
【請求項１】
被収容物を収容する包装体において、
開口部を有する収容部と、収容部と一体的に設けられたフランジ部とを含む包装材と、前記収容部の開口部を閉蓋する閉蓋材とを備える包装体本体と、
前記包装体本体の端部から、前記収容部側へ折曲線を介して折り曲げ可能に延在する延在部とを備えたことを特徴とする包装体。
【請求項２】
前記折曲線が延びる方向における、前記延在部の端部の位置と、前記折曲線が延びる方向における、前記包装体本体の端部の位置とが、折曲線が延びる方向と直交する方向に沿うことを特徴とする請求項１に記載の包装体。
【請求項３】
前記収容部が、前記延在部との対面側の壁面から、折曲線が延びる方向と直交する方向に延びる凹部を有することを特徴とする請求項１又は請求項２に記載の包装体。
【請求項４】
前記延在部は、前記収容部が前記閉蓋材から突出する側と同じ側に突出し、内側に空間を有する突出部を備えることを特徴とする請求項１〜３のいずれか１項に記載の包装体。
【請求項５】
前記収容部の、前記延在部との対面側の壁面が、前記閉蓋材から前記収容部が突出する側に向かうにつれて、前記延在部から離れるように傾斜することを特徴とする請求項４に記載の包装体。
【請求項６】
前記突出部が突出する側の先端面部は、前記包装体本体から離れるにつれて、より突出することを特徴とする請求項４又は請求項５に記載の包装体。
【請求項７】
前記突出部の外周縁形状は、前記折曲線が延びる方向と直交する方向に侵入する凹形状をなす凹形状部を有することを特徴とする請求項４〜請求項６のいずれか１項に記載の包装体。
【請求項８】
前記突出部の壁面が角部を有し、前記延在部を収容部側へ折り曲げた際に、前記角部が、前記収容部の前記突出部との対面側の壁面に当接することを特徴とする請求項４〜請求項７のいずれか１項に記載の包装体。
【請求項９】
前記収容部の、前記延在部との対面側の壁面が頂部を有し、前記延在部を収容部側へ折り曲げた際に、前記突出部の角部が、前記収容部の頂部に当接することを特徴とする請求項８に記載の包装体。
【請求項１０】
前記突出部が開口部を有し、当該開口部が閉蓋材にて閉蓋されることを特徴とする請求項４〜請求項９のいずれか１項に記載の包装体。
【請求項１１】
前記延在部から、さらに小片が延在し、当該小片又は前記収容部の壁面の一方に、嵌合凹部を設けるとともに、小片又は収容部の壁面の他方に、前記嵌合凹部と嵌合する嵌合凸部を設けたことを特徴とする請求項１〜請求項１０のいずれか１項に記載の包装体。
【発明の詳細な説明】
【技術分野】
【０００１】
本発明は、被包装物を収容する包装体に関する。
【背景技術】
【０００２】
被包装物を収容する包装体として、開口部を有する収容部と、収容部と一体的に設けられたフランジ部とを備えたブリスターカバーと、収容部の開口部を閉蓋する台紙又はフィルムからなる閉蓋材とで構成されたものがある（特許文献１）。このような、所謂ブリスター容器と呼ばれる包装体は、その成型性の良さや柔軟性により、様々な被包装物を包装するために利用され、多くの形状のものが使用されている。
【０００３】
このようなブリスター容器は、陳列の際の簡便性を高めるために、自立性が求められることがある。ブリスター容器を自立させる方法として、収容部の側面に突起を設け、この突起を脚部とするものがある（特許文献２）。
【先行技術文献】
【特許文献】
【０００４】
【特許文献１】特開２０１３−１１６７５４号公報
【特許文献２】特開２００５−１３８８４７号公報
【発明の概要】
【発明が解決しようとする課題】
【０００５】
しかしながら、収容部の側面に設けた突起をフランジ部にまで延ばすと、フランジ部は、突起の対応箇所が削減されて幅狭なものとなる。これにより、フランジ部の突起の対応箇所においては、閉蓋材とフランジ部との接着面積が小さくなる。このため、閉蓋材とフランジ部との接着により収容部の開口部を閉蓋する場合、製造時に閉蓋材の位置ずれ等が生じると、特にフランジ部の突起の対応箇所では閉蓋材により閉蓋されにくくなり、収容部に埃等が侵入してしまうという問題が生じる。そこで、突起をフランジ部側に向かうにつれて収容部側に向かう形状とした場合、ブリスターカバーの成型時にアンダーカットが生じるため、ブリスターカバーが金型から抜けにくくなるという問題が生じ、製造が困難であるという問題もある。
【０００６】
そこで、本発明は斯かる実情に鑑み、収容部の密封性を良好に維持しながら自立させることができ、容易に製造可能な包装体を提供しようとするものである。
【課題を解決するための手段】
【０００７】
本発明の包装体は、被収容物を収容する包装体において、開口部を有する収容部と、収容部と一体的に設けられたフランジ部とを含む包装材と、前記収容部の開口部を閉蓋する閉蓋材とを備える包装体本体と、前記包装体本体の端部から、前記収容部側へ折曲線を介して折り曲げ可能に延在する延在部とを備えたものである。
【０００８】
本発明の包装体によれば、延在部が延在する包装体本体の端部を折曲線として、延在部を収容部側へ折り曲げることにより、包装体本体を自立させることができる。すなわち、延在部は、包装体本体を自立させるための自立手段とすることができる。当該延在部は、包装体本体の端部から延在するものであり、包装体本体外で自立手段を形成することができる。これにより、閉蓋材にて収容部の開口部を閉蓋する場合、延在部（つまり、自立手段）は、閉蓋材とフランジ部との接着の妨げとなることがなく、閉蓋材とフランジ部との接着状態を良好なものとすることができて、収容部の密封性を良好なものとすることができる。また、収容部やフランジ部に、脚部等の自立手段を設ける必要がないため、収容部やフランジ部の形状及び加工を特殊なものとする必要がなくなって、製造しやすいものとなる。
【０００９】
前記構成において、前記折曲線が延びる方向における、前記延在部の端部の位置と、前記折曲線が延びる方向における、前記包装体本体の端部の位置とが、折曲線が延びる方向と直交する方向に沿うものとしてもよい。
【００１０】
前記構成とすることで、折曲線が延びる方向において、延在部の端部と、包装体本体の端部とを脚部として、２つの脚部で包装体を２点支持することができる。これにより、包装体は、折曲線が延びる方向が鉛直方向となる向きに自立させることができる。
【００１１】
前記構成において、前記収容部が、前記延在部との対面側の壁面から、折曲線が延びる方向と直交する方向に延びる凹部を有していてもよい。
【００１２】
前記構成とすることで、収容部には、凹部を構成し、折曲線が延びる方向と直交する方向に延びる壁面が形成され、この壁面にて押圧力を受けることができる。すなわち、収容部は、折曲線が延びる方向と直交する方向の押圧に対する強度が高まるため、収容部が変形しにくいものとなる。
【００１３】
前記構成において、前記延在部は、前記収容部が前記閉蓋材から突出する側と同じ側に突出し、内側に空間を有する突出部を備えるものであってもよい。
【００１４】
前記構成とすることで、突出部は緩衝機能を備えたものとなり、延在部を折り曲げたときに収容部が突出部に接触しても、収容部が、折曲線が延びる方向と直交する方向の押圧により圧潰しにくいものとなる。
【００１５】
前記構成において、前記収容部の、前記延在部との対面側の壁面が、前記閉蓋材から前記収容部が突出する側に向かうにつれて、前記延在部から離れるように傾斜するものとしてもよい。
【００１６】
延在部を折り曲げて包装体本体を自立させた場合、収容部を突出部に当接させて、突出部にて収容部を受けた状態とするのが好ましい。前記構成とすることで、包装体本体を自立させたときに、包装体本体を突出部側に傾きやすくさせることができて、収容部が突出部に当接しやすくなる。従って、突出部は安定して包装体本体を支持することができ、包装体本体は、安定した自立状態を維持することができる。
【００１７】
前記構成において、前記突出部が突出する側の先端面部は、前記包装体本体から離れるにつれて、より突出するものとしてもよい。
【００１８】
延在部を折り曲げて包装体本体を自立させた場合、収容部に収容された被収容物によっては、その重さで包装体本体が突出部側に傾きやすくなる。前記構成とすることで、突出部の先端面部は、収容部と当接したときに、包装体本体の傾きを規制するストッパーとして機能する。従って、突出部は安定して包装体本体を支持することができ、包装体本体は、安定した自立状態を維持することができる。
【００１９】
前記構成において、前記突出部の外周縁形状は、前記折曲線が延びる方向と直交する方向に侵入する凹形状をなす凹形状部を有するものであってもよい。ここで、突出部の外縁形状とは、突出部の突出基端にて形成される閉形状をいう。
【００２０】
前記構成とすることで、突出部には、凹形状部を構成し、折曲線が延びる方向と直交する方向に延びる壁面が形成され、前記延在部を収容部側へ折り曲げた際に、この壁面にて押圧力を受けることができる。すなわち、突出部は、前記延在部を収容部側へ折り曲げた際の、折曲線が延びる方向と直交する方向の押圧に対する強度が高まるため、変形しにくいものとなる。
【００２１】
前記構成において、前記突出部の壁面が角部を有し、前記延在部を収容部側へ折り曲げた際に、前記角部が、前記収容部の前記突出部との対面側の壁面に当接するものとしてもよい。
【００２２】
前記構成とすることで、収容部と突出部とが接触する際には、強度の高い突出部の角部が収容部の壁面と接触するため、突出部は、折曲線が延びる方向と直交する方向の押圧に対する強度がより高まり、突出部が変形しにくいものとなる。
【００２３】
前記構成において、前記収容部の、前記延在部との対面側の壁面が頂部を有し、前記延在部を収容部側へ折り曲げた際に、前記突出部の角部が、前記収容部の頂部に当接するものとしてもよい。
【００２４】
前記構成とすることで、収容部と突出部とが接触する際には、強度の高い突出部の角部と収容部の頂部とが接触するため、収容部及び突出部は、折曲線が延びる方向と直交する方向の押圧に対する強度がより高まり、収容部及び突出部が変形しにくいものとなる。
【００２５】
前記構成において、前記突出部が開口部を有し、当該開口部が閉蓋材にて閉蓋されるものであってもよい。
【００２６】
前記構成とすることで、突出部の内部の空間は閉空間となるため、延在部にも物品を収容することが可能となる。これにより、延在部は、包装体本体を自立させる機能と、物品を収容する機能とを併せ持つものとなる。
【００２７】
前記構成において、前記延在部から、さらに小片が延在し、当該小片又は前記収容部の壁面の一方に、嵌合凹部を設けるとともに、小片又は収容部の壁面の他方に、前記嵌合凹部と嵌合する嵌合凸部を設けてもよい。
【００２８】
前記構成とすることで、延在部の折り曲げ状態において、小片により延在部と収容部とが連結されて、延在部と収容部とを固定することができる。これにより、包装体本体が自立した状態で、包装体本体の搖動が規制されて、包装体本体は、安定した自立状態を維持することができる。また、嵌合凸部を嵌合凹部に嵌合させる構造としているため、容易に延在部と収容部とを固定したり、固定を解除したりすることができて、至便なものとなる。
【発明の効果】
【００２９】
本発明の包装体は、収容部の密封性を良好に維持しながら自立させることができ、容易に製造可能となる。
【図面の簡単な説明】
【００３０】
【図１】本発明の包装体の延在部を折り曲げていない状態を示す斜視図である。
【図２】本発明の包装体の延在部を折り曲げていない状態を示す側面図である。
【図３】本発明の包装体の一部拡大正面図である。
【図４】本発明の包装体の横幅方向が上下方向となる向きに包装体を自立させた状態を示す斜視図である。
【図５】本発明の包装体の延在部を折り曲げた状態を示す斜視図である。
【図６】本発明の包装体の延在部及び小片を折り曲げた状態を示す側面図である。
【図７】本発明の包装体の延在部及び小片を折り曲げた状態を示す斜視図である。
【発明を実施するための形態】
【００３１】
以下、本発明の実施の形態を図１〜図７に基づいて説明する。
【００３２】
本実施形態に係る包装体は、図１に示すように、包装体本体１と、包装体本体１の端部から折曲線１９を介して延在する延在部２とを備えている。以下、図３に示すように、折曲線１９が延びる方向を横幅方向といい、折曲線１９が延びる方向と略直交する方向を縦幅方向という。さらに、図２に示すように、後述する閉蓋材３の面に対して垂直な方向を厚さ方向という。
【００３３】
包装体本体１は、図示省略の被収容物を収容するものであり、図１に示すように、閉蓋材３と、閉蓋材３の一方面側に配置された包装材４とを備える。閉蓋材３は１枚のフィルムにて構成される。閉蓋材３の外縁は、横幅方向に沿って平行に延びる一対の短辺７ａ、７ｂと、縦幅方向に沿って平行に延びる一対の長辺８ａ、８ｂとで全体的に矩形状をなす。一方の短辺７ａ側の略中央部（後述する孔部１１に対応する位置）には凹所１３が形成されている。閉蓋材３は、一度剥がしても再度接着することができ、後述する収容部５の開口部を繰り返し開閉可能なリシール性を有する。
【００３４】
包装材４は、図１に示すように、閉蓋材３の一方面側に配置されている。包装材４は、開口部を有する収容部５と、収容部５の外周に収容部５と一体的に設けられ、収容部５の外周縁となるフランジ部６とで構成されている。フランジ部６において、閉蓋材３の凹所１３に対応する位置には、円形の孔部１１が形成されている。この孔部１１は、包装体を吊り掛ける際にフック等が通される吊り掛け手段となる。フランジ部６の外縁は、縦幅方向に沿って平行に延びる一対の長辺９ａ、９ｂと、横幅方向に沿って平行に延びる一対の短辺１０ａ、１０ｂとで全体的に矩形状をなす。このフランジ部６に、閉蓋材３が密着して収容部５の開口部を閉蓋している。当該閉蓋材３とフランジ部６とは、アクリル系樹脂を介して接着されている。
【００３５】
図２に示すように、閉蓋材３の短辺７ｂと、フランジ部６の短辺１０ｂとが厚さ方向において重なっている。これら短辺７ｂ、１０ｂが、包装体本体１の端部の一部となっており、後述するように、この端部から延在部２が延在する。当該箇所以外では、フランジ部６の外縁は、閉蓋材３の外縁よりも僅かに外側に位置しており、フランジ部６の端縁である長辺９ａ、９ｂと短辺１０ａとが、包装体本体１の端部となる。
【００３６】
収容部５は、図１に示すように、閉蓋材３と反対側に突出し、閉蓋材３とで図示省略の被包装物を収容する閉空間を形成する。収容部５を構成する壁面２０は、フランジ部６から厚さ方向に立ち上がり、包装体の側面となる４つの側面部２１ａ〜２１ｄと、４つの側面部２１ａ〜２１ｄと略直交し、包装体の正面（収容部５の開口部と反対側の面）となる正面部２２とから構成されている。
【００３７】
図１に示すように、縦幅方向に沿って延びる一対の側面部（以下、第１側面部２１ａ、第３側面部２１ｃという）は略平行に配置され、第１側面部２１ａ及び第３側面部２１ｃと交わる側面部の一方（以下、第２側面部２１ｂという）は、孔部１１側で第１側面部２１ａ及び第３側面部２１ｃと直交するように配置されており、第１側面部２１ａ及び第３側面部２１ｃと交わる側面部の他方（以下、第４側面部２１ｄという）は、孔部１１と反対側で第１側面部２１ａ及び第３側面部２１ｃと直交するように配置されている。
【００３８】
第４側面部２１ｄは、図２に示すように、閉蓋材３から、収容部５が突出する側である正面部２２に向かうにつれて、延在部２から離れるように（つまり、第２側面部２１ｂに近接するように）傾斜するテーパ面となっている。第１〜第３側面部２１ａ〜２１ｃも、第４側面部２１ｄと同様に、閉蓋材３から正面部２２に向かうにつれて、対面する側面部に近接するように傾斜するテーパ面となっている。
【００３９】
正面部２２は、正面視において略矩形状をなし、図１に示すように、横幅方向の中間部に凹部２５が形成されている。凹部２５は、第４側面部２１ｄから縦幅方向に延びて、第２側面部２１ｃまで達している。このような凹部２５を形成することによって、収容部５には凹部２５を構成し、縦幅方向に延びる凹部壁面（以下、第１凹部壁面２４ａ、第２凹部壁面２４ｂという）が形成され、この凹部壁面２４ａ、２４ｂにて押圧力を受けることができる。これにより、収容部５は、縦幅方向の押圧に対する強度が高まるため、収容部５が変形しにくいものとなる。
【００４０】
さらに、正面部２２には嵌合凹部２６が設けられている。この篏合凹部２６は、後述するように、延在部２を折り曲げ、さらに小片４０を折り曲げたときに、小片４０に設けられた篏合凸部４１と篏合する位置に設けられている。
【００４１】
図１に示すように、正面部２２を含む３面が交わる部位は頂部２３となる。すなわち、正面部２２及び第１側面部２１ａ及び第２側面部２１ｂが交わる部位が第１頂部２３ａとなり、正面部２２及び第２側面部２１ｂ及び第１凹部壁面２４ａが交わる部位が第２頂部２３ｂとなり、正面部２２及び第２側面部２１ｂ及び第２凹部壁面２４ｂが交わる部位が第３頂部２３ｃとなり、正面部２２及び第２側面部２１ｂ及び第３側面部２１ｃが交わる部位が第４頂部２３ｄとなる。また、正面部２２及び第３側面部２１ｃ及び第４側面部２１ｄが交わる部位が第５頂部２３ｅとなり、正面部２２及び第４側面部２１ｄ及び第２凹部壁面２４ｂが交わる部位が第６頂部２３ｆとなり、正面部２２及び第４側面部２１ｄ及び第１凹部壁面２４ａが交わる部位が第７頂部２３ｇとなり、正面部２２及び第４側面部２１ｄ及び第１側面部２１ａが交わる部位が第８頂部２３ｈとなる。このように、収容部５の壁面２０には、８つの頂部２３ａ〜２３ｈが形成されている。
【００４２】
延在部２は、図１及び図３に示すように、包装体本体１において、フランジ部６の孔部１１と反対側の端部（つまり、短辺７ｂ、１０ｂ）から延在する。延在部２は、図２の矢印に示すように、収容部５側へ折り曲げ可能なものとなっており、短辺７ｂ、１０ｂは、延在部２を折り曲げる折曲線１９となる。延在部２は、延在部用閉蓋材３０と、延在部用閉蓋材３０の一方面側に配置された延在部用包装材３１とを備える。
【００４３】
延在部用閉蓋材３０は１枚のフィルムにて構成される。本実施形態では、延在部用閉蓋材３０は、包装体本体１の閉蓋材３と同一の材質のフィルムにて構成している。延在部用閉蓋材３０は、包装体本体１の閉蓋材３の短辺７ｂから、図示省略の切込線（１本のスリット）を介して延在している。延在部用閉蓋材３０は、一度剥がしても再度接着することができ、後述する突出部３３の開口部を繰り返し開閉可能なリシール性を有する。
【００４４】
延在部用包装材３１は、図１に示すように、延在部用閉蓋材３０の一方面側に配置されている。本実施形態では、延在部用包装材３１は、包装体本体１の包装材４と同一の材質にて構成している。図３に示すように、延在部用包装材３１は、包装体本体１の包装材４の短辺１０ｂから、ミシン目を介して延在している。延在部用包装材３１は、開口部を有する突出部３３と、突出部３３の外周に突出部３３と一体的に設けられ、突出部３３の外周縁となるフランジ部３２とで構成されている。延在部用包装材３１のフランジ部３２に、延在部用閉蓋材３０が密着して突出部３３の開口部を閉蓋する。延在部用閉蓋材３０とフランジ部３２とは、アクリル系樹脂を介して接着されている。フランジ部３２の外縁は、包装体本体１側以外では、延在部用閉蓋材３０の外縁よりもやや外側に位置しており、フランジ部３２の端縁が、延在部２の端部となる。
【００４５】
図３に示すように、延在部２の横幅方向の端部（本実施形態ではフランジ部３２の端部）の位置と、包装体本体１の横幅方向の端部（本実施形態ではフランジ部６の端部）の位置とが、縦幅方向に沿っている。これにより、図４に示すように、延在部２の横幅方向の端部と、包装体本体１の横幅方向の端部とを脚部として、２つの脚部で包装体を２点支持することができる。これにより、包装体は、横幅方向が鉛直方向となる向きに自立させることができる。
【００４６】
突出部３３は、図２に示すように、延在部用閉蓋材３０と反対側に突出している。すなわち、突出部３３は、包装用本体１の収容部５が、包装用本体１の閉蓋材３から突出する側と同じ側に突出している。突出部３３は、包装体本体１の収容部５の開口部と同じ側に開口する開口部を有し、当該開口部は延在部用閉蓋材３０にて閉蓋されている。これにより、突出部３３は、内部に閉空間を有するものとなっている。
【００４７】
突出部３３を構成する壁面３４は、図３に示すように、フランジ部３２から厚さ方向に立ち上がる８つの周壁部３５ａ〜３５ｈと、８つの周壁部３５ａ〜３５ｈと略直交し、突出部３３の突出する側の先端面部３６とから構成されている。周壁部３５ａ〜３５ｈは、フランジ部３２の延びる方向に対して略直交するように立ち上がり、突出部３３の外縁形状を形成する。ここで、突出部３３の外縁形状とは、突出部３３の突出基端（つまり、周壁部３５ａ〜３５ｈとフランジ部３２との境界）にて形成される閉形状をいう。
【００４８】
４本の周壁部３５が、縦幅方向に沿って延びている。以下、包装体本体１側に位置する周壁部３５から順に、第１周壁部３５ａ、第２周壁部３５ｂ、第３周壁部３５ｃ、第４周壁部３５ｄという。また、４本の周壁部３５が、縦幅方向に沿って、又は縦幅方向と僅かな角度を持って延びている。以下、第１周壁部３５ａ及び第３周壁部３５ｃに交わる周壁部３５から順に、第５周壁部３５ｅ、第６周壁部３５ｆ、第７周壁部３５ｇ、第８周壁部３５ｈという。第２周壁部３５ｂ及び第６周壁部３５ｆ及び第７周壁部３５ｇで、包装体本体１と反対側から包装体本体１側に向かって、縦幅方向に侵入する凹形状をなす凹形状部３９を構成する。
【００４９】
このように、突出部３３の外周縁形状が、縦幅方向に侵入する凹形状をなす凹形状部３９を有することで、突出部３３には凹形状部３９を構成し、縦幅方向に延びる壁面、つまり、第６周壁部３５ｆ及び第７周壁部３５ｇが形成され、前記延在部２を収容部５側へ折り曲げた際に、第６周壁部３５ｆ及び第７周壁部３５ｇにて押圧力を受けることができる。すなわち、突出部３３は、前記延在部２を収容部５側へ折り曲げた際の、延在部２の縦幅方向の押圧に対する強度が高まるため、突出部３３が変形しにくいものとなる。
【００５０】
図２に示すように、突出部３３の先端面部３６は、包装体本体１から離れるにつれて、延在部用閉蓋材３０から、より突出している。すなわち、先端面部３６は、包装体本体１側から包装体本体１と反対側に向かって、延在部用閉蓋材３０からの離間長さが徐々に長くなるテーパ面としている。
【００５１】
図３に示すように、周壁部３５ａ〜３５ｈと先端面部３６とが交わる部位が角部３７となる。すなわち、角部３７は、先端面部３６の端縁付近であり、先端面部３６の端縁の全周にわたって形成される。
【００５２】
包装体本体１と反対側のフランジ部３２、具体的には、第２周壁部３５ｂから延びているフランジ部３２には、小片４０が延在している。この小片４０は、包装体本体１の包装材４及び延在部２の延在部用包装材３１と同一の材質にて構成している。フランジ部３２と小片４０との境界には、ミシン目が設けられている。この境界は、後述するように、小片４０を収容部５側に折り曲げ可能とする折曲線３８となる。この小片４０には、突出部３３の突出する側と同じ側に向かって突出する嵌合凸部４１が設けられている。この嵌合凸部４１は、収容部５の正面部２２に設けられた嵌合凹部２６と嵌合する。
【００５３】
前記延在部２を備えた包装体において、包装体本体１を自立させる場合は、図２に示すように、包装体本体１において、閉蓋材３の短辺７ｂ及びフランジ部６の短辺１０ｂを折曲線１９として、図２の矢印に示すように、延在部２を収容部５側へ折り曲げる。このとき、閉蓋材３と延在部用閉蓋材３０との間には、切込線が形成されており、包装材４のフランジ部６と延在部用包装材３１のフランジ部３２との間にはミシン目が形成されているため、切込線やミシン目にて折り曲げ箇所や折り曲げ方向が案内されて、延在部２は折り曲げ易いものとなっている。
【００５４】
このようにして、図５〜図７に示すように、包装体本体１を自立させることができる。すなわち、延在部２は、包装体本体１を自立させるための自立手段とすることができる。この延在部２は、包装体本体１の端部から延在するものであり、包装体本体１外で自立手段を形成することができる。これにより、閉蓋材３にて収容部５の開口部を閉蓋する場合、延在部２（つまり、自立手段）は、閉蓋材３とフランジ部６との接着の妨げとなることがなく、閉蓋材３とフランジ部６との接着状態を良好なものとすることができて、収容部５の密封性を良好なものとすることができる。また、収容部５やフランジ部６に、脚部等の自立手段を設ける必要がないため、収容部５やフランジ部６の形状及び加工を特殊なものとする必要がなくなって、製造しやすいものとなる。
【００５５】
包装体本体１を自立させた場合、図６に示すように、収容部５が突出部３３に当接して、突出部３３にて収容部５を受けた状態となっている。本実施形態では、延在部２と対面する第４側面部２１ｄが、閉蓋材３から正面部２２に向かうに従って、延在部２から離れるように傾斜するテーパ面となっている。これにより、包装体本体１を、図６の矢印に示すように、突出部３３側に傾きやすくさせることができて、収容部５が突出部３３に当接しやすくなる。従って、突出部３３は安定して包装体本体１を支持することができ、包装体本体１は、安定した自立状態を維持することができる。
【００５６】
また、収容部５に収容された被収容物によっては、その重さで包装体本体１が突出部３３側に傾きやすくなる。本実施形態では、突出部３３の先端面部３６は、包装体本体１から離れるに従って、より突出するテーパ面となっていることで、先端面部３６は収容部５と当接したときに、収容部５の傾きを規制するストッパーとして機能する。従って、突出部３３は安定して包装体本体１を支持することができ、包装体本体１は、安定した自立状態を維持することができる。
【００５７】
本実施形態では、第４側面部２１ｄと先端面部３６とは、共にテーパ面としていることから、第４側面部２１ｄと先端面部３６とが面接触しやすくなって、突出部３３から収容部５にかかる圧力が軽減される。また、突出部３３は、収容部５が閉蓋材３から突出する側と同じ側に突出し、内側に空間を有する構成としているため、突出部３３は緩衝機能を備えたものとなる。これにより、延在部２を折り曲げたときに、収容部５が突出部３３と接触しても、収容部５が圧潰しにくいものとなる。
【００５８】
しかも、突出部３３の開口部が延在部用閉蓋材３０にて閉蓋される構成としているため、突出部３３の内部の空間は閉空間となり、突出部３３にも物品を収容することが可能となる。これにより、延在部２は、包装体本体１を自立させる機能と、物品を収容する機能とを併せ持つものとなる。
【００５９】
図５において円形で囲んだように、突出部３３の角部３７が、収容部５の第５頂部２３ｅ、第６頂部２３ｆ、第８頂部２３ｈに当接している。これにより、収容部５と突出部３３とが接触する際には、強度の高い突出部３３の角部３７と収容部５の頂部２３ｅ、２３ｆ、２３ｈとが接触するため、収容部５及び突出部３３は、縦幅方向の押圧に対する強度がより高まり、収容部５及び突出部３３が変形しにくいものとなる。
【００６０】
さらに、延在部２のフランジ部３２及び小片４０の境界を折曲線３８として、図５の矢印に示すように、小片４０を収容部５側へ折り曲げる。このとき、境界３８にはミシン目が形成されているため、ミシン目にて折り曲げ箇所や折り曲げ方向が案内されて、小片４０が折り曲げ易いものとなっている。そして、図６及び図７に示すように、小片４０の嵌合凸部４１を、収容部５に形成された嵌合凹部２６へ嵌合させると、延在部２の折り曲げ状態において、小片４０により延在部２と収容部５とが連結されて、延在部２と収容部５とを固定することができる。これにより、包装体本体１が自立した状態で、包装体本体１の搖動が規制されて、包装体本体１は、安定した自立状態を維持することができる。また、嵌合凸部４１を嵌合凹部２６に嵌合させる構造としているため、容易に延在部２と収容部５とを固定したり、固定を解除したりすることができて、至便なものとなる。
【００６１】
以上、本発明の実施形態につき説明したが、本発明は前記実施形態に限定されることなく種々の変形が可能であって、延在部２は、必ずしも包装体本体１を自立させるためのものでなくてもよく、例えば、第２の収容部として機能するものである等、延在部２の用途や機能は種々のものであってよい。
【００６２】
包装体本体１は、いずれの端部からでも延在部２を延在させることができ、また、延在部２を複数設けてもよい。例えば、本実施形態において、第１側面部２１ａ〜第３側面部２１ｃから延在部２が延在してもよいし、第１側面部２１ａ〜第４側面部２１ｄの複数の側面部から、夫々延在部２が延在してもよい。
【００６３】
閉蓋材３、包装材４、延在部用閉蓋材３０、及び延在部用包装材３１の外縁形状は、実施形態のものに限られず、種々の形状とすることができる。閉蓋材３及び延在部用閉蓋材３０は台紙にて構成してもよい。包装材４は、２つ以上の収容部５を有していてもよく、延在部用包装材３１は、２つ以上の突出部３３を有していてもよい。但し、閉蓋材３をフィルムにて構成した場合、製造時に閉蓋材３の位置ずれが生じやすくなるため、収容部５の密封性を良好なものとすることができる本発明が特に有効となる。また、閉蓋材３の外縁が包装材４の外縁からはみ出ていてもよいし、両者が厚さ方向において重なっていてもよく、延在部用閉蓋材３０の外縁が延在部用包装材３１の外縁からはみ出ていてもよいし、両者が厚さ方向において重なっていてもよいが、外観等の観点から、包装材４の外縁及び延在部用包装材３１の外縁が、閉蓋材３の外縁及び延在部用閉蓋材３０の外縁よりも僅かに外側に位置していることが好ましい。但し、このような場合であっても、包装材４及び延在部用包装材３１の開封口にあたる外縁においては、閉蓋材３の外縁及び延在部用閉蓋材３０の外縁が、包装材４の外縁及び延在部用包装材３１の外縁よりも外側に位置していることが、閉蓋材３の外縁及び延在部用閉蓋材３０をつまんで開封しやすくなるため、好ましい。
【００６４】
包装体本体１の外縁形状や延在部２の外縁形状は、実施形態のものに限られず、種々の形状を採用することができる。包装体本体１の横幅方向の長さ寸法と、延在部２の横幅方向の長さ寸法は同一とするのが好ましいが、相違していてもよい。包装体本体１や延在部２の縦幅方向の端縁が直線状ではなく円弧状等である場合は、横幅方向において、包装体本体１の最も外側に位置する端部と、延在部２の最も外側に位置する端部とが、縦幅方向に沿うことが好ましい。これにより、横幅方向において、包装体本体１の最も外側の端部と、延在部２の最も外側の端部とを脚部として、２つの脚部で包装体を２点支持することができる。
【００６５】
収容部５の形態は、前記実施形態のものに限られない。側面部２１は、閉じた形状を形成するものであればよく、例えば、三角形以上の多角形、正方形、長方形、円形等を形成するものであってもよい。この場合、正面部２２の正面視形状は、側面部２１にて形成される形状に応じたものとなる。さらに、収容部５の壁面２０は頂部２３を有するのが好ましいが、例えば、収容部５が半球状である等、頂部を有しないものや、収容部５が円錐、角錐等の正面部２２を有しないものであってもよい。
【００６６】
また、前記実施形態において、収容部５の正面部２２には凹部２５が形成されていたが、正面部２２は、凹凸のない平面や曲面等であってもよい。前記実施形態では、凹部２５は第２側面部２１ｂにまで達するものであったが、第２側面部２１ｂにまで達しないものであってもよい。嵌合凹部２６は、収容部５の正面部２２ではなく、側面部２１ａ〜２１ｄのいずれかに設けてもよい。但し、側面部２１ａ〜２１ｄに設けた場合、成型時にアンダーカットが生じてブリスターカバーが抜けにくくなるという問題が生じるため、正面部２２に設けることが好ましい。また、前記実施形態のように、延在部２に小片４０を設け、収容部５の正面部２２と小片４０とを、篏合凸部４１及び篏合凹部２６とで篏合させることは、収容部５と延在部２とを、略垂直に固定するなど、角度を設けて固定できる点からも好ましい。
【００６７】
延在部２は、包装体本体１の包装材４から延在する延在部用包装材３１と、包装体本体１の閉蓋材３から延在する延在部用閉蓋材３０とで構成されたが、どちらかを省略してもよく、延在部２を延在部用包装材３１のみから構成しても、延在部用閉蓋材３０のみから構成してもよい。製造が容易でありコストを抑えられるという観点から、包装材４と延在部用包装材３１とを同一材質とし、閉蓋材３と延在部用閉蓋材３０とを同一材質とするのが好ましいが、包装材４と延在部用包装材３１とを別の材質にて構成してもよく、また、閉蓋材３と延在部用閉蓋材３０とを別の材質にて構成してもよい。
【００６８】
前記実施形態で説明したように、延在部２は突出部３３を有するのが好ましいが、突出部３３を有さない平面状の折曲片であってもよい。延在部２は、延在部用閉蓋材３０を備えていなくてもよく、また、突出部３３は、内側に空間を有さないものであってもよい。また、突出部３３の凹形状部３９は、包装体本体１側から、包装体本体１と反対側に侵入する凹形状をなすものであってもよい。また、突出部３３は、凹形状部３９を有しているのが好ましいが、凹形状部３９を有さないものであってもよい。
【００６９】
延在部２及び小片４０の折り曲げ易さという観点から、折曲線１９、３８には、ミシン目や切込線が設けられているのが好ましいが、ミシン目や切込線を省略してもよい。また、折り曲げ易くするための加工として、ミシン目や切込線に限らず、直線状の薄肉部（ハーフカット）を設けてもよい。
【００７０】
前記実施形態で説明したように、篏合凹部２６と小片４０とを設けることが好ましいが、これらを省略してもよい。さらに、収容部５に設けられた篏合凹部２６と、小片４０に設けられた篏合凸部４１の凹凸が逆であってもよい。すなわち、収容部５の正面部２２に篏合凸部を設けるとともに、小片４０に、収容部５の正面部２２に設けた篏合凸部と篏合する篏合凹部を設けてもよい。
【００７１】
前記実施形態で説明したように、収容部５の第４側面部２１ｄ及び突出部３３の先端面部３６はテーパ面とするのが好ましいが、テーパ面でなくてもよい。すなわち、第４側面部２１ｄが、フランジ部６から略垂直に延びていたり、先端面部３６が延在部用閉蓋材３０と略平行に延びていたりしてもよい。また、第４側面部２１ｄと先端面部３６とのどちらか一方のみをテーパ面としてもよい。
【００７２】
前記実施形態においては、閉蓋材３とフランジ部６、延在部用閉蓋材３０とフランジ部３２とは、アクリル系樹脂を介して接着されていたが、ホットメルトや、その他の接着剤を介して接着されていてもよい。
【符号の説明】
【００７３】
１     包装体本体
２     延在部
３     閉蓋材
４     包装材
５     収容部
６     フランジ部
１９   折曲線
２０   壁面
２５   凹部
２３   頂部
２６   嵌合凹部
３３   突出部
３４   壁面
３６   先端面部
３７   角部
３９   凹形状部
４０   小片
４１   嵌合凸部
【図１】
2016124547.tif 000003
【図２】
2016124547.tif 000004
【図３】
2016124547.tif 000005
【図４】
2016124547.tif 000006
【図５】
2016124547.tif 000007
【図６】
2016124547.tif 000008
【図７】
2016124547.tif 000009